(57)【要約】【課題】確実な自動給水動作をなすとともに、小型化が可能で使い勝手の良い植木鉢用自動給水器を提供する。【課題の解決手段】植木鉢用自動給水器１は、植木鉢収容部２の周囲に閉塞形成した環状の貯水タンク３と、植木鉢収容部２の底板２ａに貯水タンク３と連通するよう設け、内面には雌ネジを刻設するとともに周面に給水口８を設けた円筒支持体６、及び円筒支持体６の雌ネジに螺合する雄ネジ１０を下端に設け、開口上面には開閉自在な蓋体１２を設けた給水パイプ９からなる給水機構と、植木鉢収容部２の底部に設けた空気流通口１３と貯水タンク３の上部空間を連通すべく貯水タンク３内に配設され下端開口面は傾斜面で形成され、この傾斜開口面が水没すると植木鉢収容部２への給水が停止される、内面に沿って延びるリブ１６を有する連通パイプ１５とを備えてなる。【選択図】図４
2011120497.tif 000002
【特許請求の範囲】
【請求項１】
植木鉢収容部と、この植木鉢収容部を囲むように閉塞形成した環状の貯水タンクと、この貯水タンクに給水するとともに、貯水タンクと前記植木鉢収容部とを連通、遮断可能で、連通時には前記貯水タンクの水を前記植木鉢収容部に供給可能な給水機構と、前記植木鉢収容部の底部に開口した空気流通口と前記貯水タンクの上部空間を連通すべく前記貯水タンク内に配設され下端開口面は傾斜面で形成され、この傾斜開口面が前記空気流通口の水没によって閉塞されると、前記給水機構による前記植木鉢収容部への給水を停止する連通パイプとを備えてなることを特徴とする植木鉢用自動給水器。
【請求項２】
、給水機構は、植木鉢収容部の底面に貯水タンクと連通するよう設け、内面には雌ネジを刻設するとともに周面に給水口を設けた円筒支持体と、この円筒支持体の雌ネジに螺合する雄ネジを下端に設け、開口上面には開閉自在な蓋体を設けた給水パイプとからなる一方、連通パイプは、傾斜開口面の最下端部から上方に向けて内面に沿って延びるリブを有することを特徴とする請求項１に記載の植木鉢用自動給水器。
【発明の詳細な説明】
【技術分野】
【０００１】
本発明は、植木鉢にその底面から自動的に給水するための植木鉢用自動給水器に関する。
【背景技術】
【０００２】
従来から、この種植木鉢用自動給水器は種々知られているが、基本的な構成は、植木鉢収容部と、貯水タンクと、この貯水タンクから植木鉢の収容部に、植木鉢の植物による水の消費量に応じて自動的に給水する機構からなる。そして、この自動的に給水する機構が最も重要であり、その構成の如何が、植木鉢用自動給水器の機能に多大な影響を及ぼすものである。この機構として例えば、貯水タンク下部に設けた植木鉢収容部内に連通する開閉装置付出水口と、貯水タンク上部に設けた開閉装置付給水口とからなる構成が知られている。
【０００３】
この従来例では、まず、前記給水口を開くとともに、前記出水口を閉じ、前記給水口から貯水タンクに給水した後、前記給水口を閉じて、出水口を開くことにより、貯水タンク内の水を植木鉢収容部に供給し、供給量が所定量に達して出水口が水没すると、外部と遮断された貯水タンク内の上部空間が外気圧より低い圧力状態になって、出水が停止し、一定の水位が維持される。一方、植木鉢の植物が水を消費して水位が下がり出水口が露出すると、再度出水口から植木鉢収容部への給水が出水口が水没するまで行なわれる。
【０００４】
上述の従来例によると、貯水タンクへの給水作業の前後に、出水口の開閉動作と、給水口の開閉動作を、所定の手順で行なう必要があるため、これら開閉動作が煩雑であるという不都合がある。この煩雑さを解消するために従来においても、プランターケースの壁面を二重構造として貯水タンクを形成し、隔壁で二分したプランターケースの一方空間を植木鉢収容空間とし、他方空間を貯水タンクに給水するための上面を給水口として常時開放した給水空間とし、貯水タンクと給水空間は通水孔で連通し、隔壁の下方部に開閉装置を備えた隔壁通水孔を設け、この隔壁通水孔を開いたとき前記給水空間の水を植木鉢収容空間に供給可能とし、また、ダクトの一端を貯水タンクの上部に設けた通気口に密着し、他端は植木鉢収容空間の底面近傍に配置してなるプランターが提案されている（特許文献１）。
【０００５】
このプランターによると、隔壁通水孔を閉じた状態で給水口から給水すると、給水空間から通水孔を通って貯水タンクに水が溜まっていき、給水が終了した後、前記隔壁通水孔を開くと、まず給水空間内の水が前記隔壁通水孔を通って植木鉢収容空間へ流入し、前記給水空間内の水が不足すれば貯水タンクの水が前記給水空間へ通水孔を通って流入して不足分を補い、植木鉢収容空間への供給量が所定量に達してダクト下端が水没すると、貯水タンクの上部空間が外気圧より低い圧力状態になって、給水空間からの給水が停止し、一定の水位が維持される。一方、植木鉢の植物が水を消費して水位が下がりダクト下端が露出すると、貯水タンクの上部空間が外部と連通して再度給水が行なわれ、ダクト下端が水没するまで給水される。このように、上記プランターによると、開閉動作は隔壁通水孔だけでよいので、給水作業時の操作が極めて簡単になる。
【先行技術文献】
【特許文献】
【０００６】
【特許文献１】特開２００９−１６５４５３号公報
【発明の概要】
【発明が解決しようとする課題】
【０００７】
しかしながら、上述したプランターでは、植木鉢収容空間の底面近傍に配置したダクト下端が水没すると、給水が停止され、このダクト下端が露出して、給水タンク上部の空間が外部と連通すると、給水が再開されるのであるが、前記ダクト下端が水没した際にダクト内に流入した水が、植木鉢収容空間の水位が低下しても完全には流出しないで、ダクト内に残留する事態を生じることがある。このような事態が生じると、ダクト下端が露出しても給水タンク上部の空間が外部と連通しないので、植木鉢収容空間の水位が低下したにも拘わらず、給水が再開されないことになり、自動給水が行なわれないという不都合がある。本発明は、この不都合を解消して、確実な自動給水動作をなすとともに、小型化が可能で使い勝手の良い植木鉢用自動給水器を提供することを目的とする。
【課題を解決するための手段】
【０００８】
この目的を達成するため本発明の請求項１に係る植木鉢用自動給水器は、植木鉢収容部と、この植木鉢収容部を囲むように閉塞形成した環状の貯水タンクと、この貯水タンクに給水するとともに、貯水タンクと前記植木鉢収容部とを連通、遮断すべく変位可能で、連通時には前記貯水タンクの水を前記植木鉢収容部に供給可能な給水機構と、前記植木鉢収容部の底部に開口した空気流通口と前記貯水タンクの上部空間を連通すべく前記貯水タンク内に配設されるとともに、下端開口面は傾斜して形成され、この傾斜開口面が前記空気流通口の水没で水が流入して閉塞されると、前記貯水タンクの上部空間が外部と遮断状態となって、前記貯水タンクから前記植木鉢収容部への前記給水機構による給水を停止する連通パイプとを備えてなるものである。
【０００９】
また、同じく上記目的を達成するために、本発明の請求項２に係る植木鉢用自動給水器は、上記請求項１の構成において、給水機構は、植木鉢収容部の底面に貯水タンクと連通するよう設け、内面には雌ネジを刻設するとともに周面に給水口を設けた円筒支持体と、この円筒支持体の雌ネジに螺合する雄ネジを下端外周面に設け、開口上面には開閉自在な蓋体を設けた給水パイプとからなる一方、連通パイプは、傾斜開口面の最下端部から上方に向けて内面に沿って延びるリブを有するものである。
【発明の効果】
【００１０】
本発明に係る植木鉢用自動給水器によれば、植木鉢収容部の周囲に環状の貯水タンクを設けるので小型化が可能になり、連通パイプの下端開口面は傾斜面で形成されているので、この傾斜開口面部分に対応する連通パイプ内には水が停留せず、水没が解除された後の連通パイプ内の水切れがよく、確実な自動給水動作がなされるという効果を奏する。また、連通パイプの傾斜開口面の最下端部から上方に向けて内面に沿って延びるリブを設けると、このリブを伝って水が流下するので、連通パイプ内の水切れはより一層向上し、自動給水動作の確実性がより向上するという効果を奏する。
【図面の簡単な説明】
【００１１】
【図１】本発明の好適な一実施形態における植木鉢収容部に植木鉢を収容した状態の正面図。
【図２】同じく植木鉢を除去した状態の平面図。
【図３】図２のＡ−Ａ線断面図。
【図４】図２のＢ−Ｂ線断面図。
【図５】同じく連通パイプの傾斜開口面を示す部分拡大斜視図。
【発明を実施するための形態】
【００１２】
以下、本発明の好適な一実施形態について説明する。
図１〜図４に示すように、植木鉢用自動給水器１は、全体平面形状が角部をアール状に形成してなるほぼ正方形状で、中央部に平面形状ほぼ円形の凹部からなる植木鉢収容部２が設けられている。この植木鉢収容部２を囲むようにして、内壁３ａ、天壁３ｂ、外壁３ｃ及び底壁３ｄで閉塞形成された、環状の貯水タンク３が設けられている。図３及び図４で理解できるように、底壁３ｄを除く内壁３ａ、天壁３ｂ、外壁３ｃは、前記植木鉢収容部２の底板２ａとともに一体形成されている。一方、前記底壁３ｄは、前記底板２ａと密着するとともに、周囲に設けた嵌合突縁が前記外壁３ｃの肉厚な下端面に設けた嵌合溝に嵌入した状態で液密に溶着されている。
【００１３】
図３及び図４に示すように、底壁３ｄには二箇所に下方にへこむ凹部４，５が形成されている。図２及び図３に示すように、凹部４に対応する内壁３ａ部分は、外壁３ｃ方向に凹入し、この凹入部分に対応して、給水機構が設けられている。この給水機構は、円筒支持体６と、給水パイプ９とからなる。図３及び図４に示すように、円筒支持体６は、前記凹部４に対応して植木鉢収納部２の底板２ａを貫通し、前記植木鉢収容部２と貯水タンク３とを連通して前記凹部４内では内周面が縮径して肉厚となり、前記植木鉢収容部２に対応する内面には雌ネジ７を刻設するとともに周面の一部を切り欠いて給水口８を形成している。
【００１４】
一方、給水パイプ９は、図３及び図４に示すように、ほぼ円筒状で、その下端部外周面には前記円筒支持体６の雌ネジ７に螺合する雄ネジ１０を設け、この雄ねじ形成部分より下端は前記円筒支持体６の縮径部分に対応するよう縮径されて、前記円筒支持体６に螺合、支持されている。前記給水パイプ９は螺合状態に応じて前記円筒支持体６に対して昇降し、螺合状態を解除する方向に回転すると上昇して、給水パイプ９下端の前記縮径部分が給水口８に対応し、これによって円筒支持体６内面と給水パイプ９外面の間に空間が生じ、給水口８を介して植木鉢収容部２と貯水タンク３内が連通する。一方、給水パイプ９下端を円筒支持体９に緊密に螺合すると、両者は密着して給水口８が閉塞され、前記植木鉢収容部２と前記貯水タンク３とは遮断されて非連通状態となる。また、前記給水パイプ９の開口上端には開口縁から水平に延びる支持板１１を一体的に設け、この支持板１１に水平方向に回動自在に蓋体１２を支持し、この蓋体１２によって給水パイプ９の開口上面は開閉される。
【００１５】
図２〜図４に示すように、凹部５に対応する植木鉢収容部２の底板２ａとこれに連続する貯水タンク３の内壁３ａには、空気流通口１３が開口され、この空気流通口１３に対応して連通パイプ取り付け具１４が固定されている。この連通パイプ取り付け具１４は、平面正方形状で、その一辺が立ち上がって側面Ｌ字状となった２重壁からなる取付部１４ａと、この取付部１４ａの立ち上がり部分の背面側に一体的に、かつ前記取付部１４ａと連通するよう設けた円筒状のパイプ挿入部１４ｂとからなる。図では明確でないが、前記取付部１４ａは、底板２ａの下面側に空気流通口１３に沿って突設した平面ほぼコ字状で内壁３ａ側端部は内側に折曲されてなる支持壁に、二重壁の間隙部分が嵌合されて取り付けられている。そして、前記パイプ挿入部１４ｂは貯水タンク３内に位置し、このパイプ挿入部１４ｂには、連通パイプ１５の下端部が液密に挿入固定されている。
【００１６】
連通パイプ１５の上端は、貯水タンク３の上部空間に位置し、空気流通口１３を介して前記貯水タンク３の上部空間と、植木鉢収容部２とを連通している。図５で理解できるように、前記連通パイプ１５の下端開口面は傾斜して形成されている。そして、図では明らかでないが、傾斜開口面の最下端部が背面側、すなわち外壁３ｃ面側に位置するとともに、傾斜開口面の上端が内壁３ａに形成した空気流通口１３と対向位置している。また、この傾斜開口面の最下端部から上方に向けて内面に沿って直状に延びるリブ１６を設けている。
【００１７】
続いて、以上のように構成した本実施形態の使用方法を説明する。まず、植木鉢収容部２に底面から水を吸い上げる植木鉢を収容したうえ、給水パイプ９の雄ねじ１０と円筒支持体６の雌ねじ７とを最深部まで緊密に螺合し、給水口８を閉塞した状態で、蓋体１２を開いて給水パイプ９の開口上面から水を注入する。給水パイプ９に注入された水は、凹部４から貯水タンク３内へ流入していく。貯水タンク３内に連通パイプ１５上面まで達しない所望量供給されたところで注水を停止し、前記雄ねじ１０と前記雌ねじ７との螺合を解除する方向に給水パイプ９を回転し、給水口８の閉塞を解除する。これによって、給水パイプ９内の水が給水口８から植木鉢収容部２内に流入し、前記給水パイプ９内の水がなくなると、貯水タンク３内の水が前記給水口８から前記植木鉢収容部２内に流入する。
【００１８】
そして、空気流通口１３が水没すると、連通パイプ１５の傾斜開口面よりも上まで水が流入して傾斜開口面が閉塞され、この連通パイプ１５を介して外部（植木鉢収容部２）と連通していた貯水タンク３の上部空間は、外部と遮断状態となって外気圧よりも低い圧力状態となるので、前記給水口８から植木鉢収容部２への給水は停止する。この空気流通口１３が水没する水位が前記植木鉢収容部２の所定水位である。
【００１９】
植木鉢の植物が水を消費し、植木鉢収容部２の水位が下がって空気流通口１３が露出し、連通パイプ１５内の水が流出して貯水タンク３の上部空間が外部（植木鉢収容部２）と連通すると、前記上部空間は外気圧と同一の圧力状態となるので、貯水タンク３内の水が給水口８から植木鉢収容部２に供給される。そして、植木鉢収容部２の水位が上昇して再び空気流通口１３が水没し、連通パイプ１５の傾斜開口面が流入した水で閉塞されると、連通パイプ１５を介して外部（植木鉢収容部２）と連通していた貯水タンク３の上部空間は、再び外部と遮断状態となって外気圧よりも低い圧力状態となるので、前記給水口８から植木鉢収容部２への給水は停止される。以上の動作を繰り返すことにより、植木鉢収容部２には常に所定の水位が確保され、自動給水が可能になる。
【００２０】
上述の空気流通口１３が露出した際、連通パイプ１５の下端開口面は傾斜面になっているので、前記空気流通口１３が水没して前記連通パイプ１５の下端部に停留していた水は抜けやすいため、貯水タンク３の上部空間と外部との遮断状態の解除は確実に行なわれる。また、前記流通パイプ１５には、リブ１６を設けたので、前記連通パイプ１５の下端部に停留していた水はこのリブ１６を伝って流下し、前記遮断状態の解除はより確実になされる。
【００２１】
なお、本発明は、上述した実施形態に限定されるものではなく、例えば、給水機構は、給水口８を切り欠いた円筒支持体６とこれに螺合して昇降可能な給水パイプ９に換えて、給水パイプ９を底板２ａに、回転に応じて給水口８を開閉可能に支持し、給水パイプ９を回転することにより、給水口８を開いて給水可能な構成としてもよい。また、リブ１６は少なくとも流通パイプ１５の傾斜開口面部分より少しでも上方に延びていれば足りる。
【符号の説明】
【００２２】
１      植木鉢用自動給水器
２      植木鉢収容部
２ａ      底板
３      貯水タンク
３ａ      内壁
３ｂ      天壁
３ｃ      外壁
３ｄ      底壁
４，５      凹部
６      円筒支持体
７      雌ねじ
８      給水口
９      給水パイプ
１０      雄ねじ
１１      支持板
１２      蓋体
１３      空気流通口
１４      連通パイプ取り付け具
１５      連通パイプ
１６      リブ
【図１】
2011120497.tif 000003
【図２】
2011120497.tif 000004
【図３】
2011120497.tif 000005
【図４】
2011120497.tif 000006
【図５】
2011120497.tif 000007